(57)【要約】【課題】空調装置の排水ポンプを提供する。【解決手段】空調装置の排水ポンプは排水筐体、羽根車および発動機構を備える。発動機構はモーターハウジング上部、モーターおよびモーターハウジング下部を有する。モーターハウジング下部は円筒状ボディーを有する。モーターは円筒状ボディーの上方に位置する。排水筐体は円筒状ボディーの下方に位置する。円筒状ボディーは複数のスリット、複数の導流板および流体通路を有する。複数のスリットは上から下へ伸びるように円筒状ボディーに分布する。複数の導流板は円筒状ボディーからそれぞれのスリットの辺縁に沿って外部へ斜めに拡張され、かつそれぞれのスリットに跨ってそれぞれのスリットの別の辺縁へ伸びて円筒状ボディーとの間に所定の距離を置くように形成される。流体通路は複数の導流板と円筒状ボディーとの間に形成される。円筒状ボディーの内部空間と外部とは複数のスリットおよび流体通路によって相互に連絡する。【選択図】図５
2018025188.tif 000002
【特許請求の範囲】
【請求項１】
排水筐体、羽根車および発動機構を備え、
前記排水筐体は、下方に位置する吸入口および側辺に位置する排出口を有し、
前記羽根車は、前記排水筐体の中に格納され、
前記発動機構は、モーターハウジング上部、モーターおよびモーターハウジング下部から構成され、前記モーターハウジング下部は前記排水筐体の上方に配置され、前記モーターハウジング上部は前記モーターハウジング下部に合わさり、前記モーターは前記モーターハウジング下部と前記ハウジング上部との間に配置され、前記羽根車に接続される駆動軸を有する空調装置の排水ポンプであって、
前記モーターハウジング下部は円筒状ボディーを有し、前記円筒状ボディーは上向きの開口部および底部に位置する穿孔を有し、前記モーターは前記円筒状ボディーの上方に位置し、前記排水筐体は前記円筒状ボディーの下方に位置し、前記羽根車は前記円筒状ボディーの前記穿孔を通って前記モーターの前記駆動軸に接続され、
前記円筒状ボディーはさらに複数のスリット、複数の導流板および流体通路を有し、複数の前記スリットは上から下へ伸びるように前記円筒状ボディーに分布し、かつ前記円筒状ボディーの軸心に向かって等角を呈するように配列され、複数の前記導流板は前記円筒状ボディーからそれぞれの前記スリットの辺縁に沿って外部へ斜めに拡張され、かつそれぞれの前記スリットに跨ってそれぞれの前記スリットの別の辺縁へ伸びて前記円筒状ボディーとの間に所定の距離を置くように形成され、前記流体通路は複数の前記導流板と前記円筒状ボディーとの間に形成され、前記円筒状ボディーの内部空間と外部とは複数の前記スリットおよび前記流体通路によって相互に連絡することを特徴とする、
空調装置の排水ポンプ。
【請求項２】
前記導流板は円弧状を呈することを特徴とする請求項１に記載の空調装置の排水ポンプ。
【請求項３】
前記導流板は前記円筒状ボディーの軸心に向かって時計回りに沿って伸びるように配列されることを特徴とする請求項１に記載の空調装置の排水ポンプ。
【請求項４】
前記モーターハウジング下部は、さらに前記円筒状ボディーの先端および末端に別々に連結される頂部材および底部材を有し、複数の前記スリットは前記円筒状ボディーの先端から末端まで伸びることを特徴とする請求項１に記載の空調装置の排水ポンプ。
【発明の詳細な説明】
【技術分野】
【０００１】
本発明は、排水技術に関し、詳しくは空調装置の排水ポンプに関するものである。
【背景技術】
【０００２】
従来の空調装置の排水ポンプは空調装置の稼働に伴って生じた凝縮水を外部に排出するものである。特許文献１により提示された排水ポンプは電動機のハウジング下部に配置されたキャップと、電動機を支える円筒状の外筒部および内筒部と、外筒部の排水用スリットに配置された誘導部とを有することが特徴である。
特許文献１は上述した構造特徴のほかにキャップの排水用スリットに誘導部を配置することを開示している。誘導部は内部に残留した水を外部へ誘導するものである。
【０００３】
特許文献１は電動機を支える円筒状の外筒部および内筒部の構造が比較的複雑であるため、全体のパーツが多い。一方、外筒部に配置された排水用スリットと内筒部に配置されたスリットとは相互に対応しないため、内部に残留した水が外部へ流出する径路が伸びるだけでなく、排水が難しくなる。
【先行技術文献】
【特許文献】
【０００４】
【特許文献１】中華人民共和国ＣＮ１０４５１４７２８Ａ公報
【発明の概要】
【発明が解決しようとする課題】
【０００５】
本発明は構造が従来のものと異なり、簡素化された空調装置の排水ポンプを提供することを主な目的とする。
【０００６】
本発明は排水径路が比較的短く、排水効果がより良好になる空調装置の排水ポンプを提供することをもう一つの目的とする。
【課題を解決するための手段】
【０００７】
上述した課題を解決するため、空調装置の排水ポンプは排水筐体、羽根車および発動機構を備える。排水筐体は下方に位置する吸入口および側辺に位置する排出口を有する。羽根車は排水筐体に格納される。発動機構はモーターハウジング上部、モーターおよびモーターハウジング下部を有する。モーターハウジング上部はモーターハウジング下部に合わさる。モーターはモーターハウジング下部とハウジング上部との間に配置され、羽根車に接続される駆動軸を有する。モーターハウジング下部は排水筐体の上方に配置され、円筒状ボディーを有する。円筒状ボディーは上向きの開口部および底部に位置する穿孔を有する。モーターは円筒状ボディーの上方に位置する。排水筐体は円筒状ボディーの下方に位置する。羽根車は円筒状ボディーの穿孔を通ってモーターの駆動軸に接続される。円筒状ボディーはさらに複数のスリット、複数の導流板および流体通路を有する。複数のスリットは上から下へ伸びるように円筒状ボディーに分布し、かつ円筒状ボディーの軸心に向かって等角を呈するように配列される。複数の導流板は円筒状ボディーからそれぞれのスリットの辺縁に沿って外部へ斜めに拡張され、かつそれぞれのスリットに跨ってそれぞれのスリットの別の辺縁へ伸びて円筒状ボディーとの間に所定の距離を置くように形成される。流体通路は複数の導流板と円筒状ボディーとの間に形成される。円筒状ボディーの内部空間と外部とは複数のスリットおよび流体通路によって相互に連絡する。
【０００８】
上述したとおり、本発明は従来の技術とは異なり、構造の簡素化および排水径路の短縮化を実現させるため、排水効果をより向上させることができる。
【図面の簡単な説明】
【０００９】
【図１】本発明の一実施形態による空調装置の排水ポンプを示す斜視図である。
【図２】本発明の一実施形態による空調装置の排水ポンプを示す分解斜視図である。
【図３】本発明の一実施形態による空調装置の排水ポンプのモーターハウジング下部を示す斜視図である。
【図４】本発明の一実施形態による空調装置の排水ポンプのモーターハウジング下部の円筒状ボディーを示す断面斜視図である。
【図５】図３中の５−５線切断部断面図である。
【図６】図１中の６−６線切断部断面図である。
【発明を実施するための形態】
【００１０】
以下、本発明による空調装置の排水ポンプを図面に基づいて説明する。
【００１１】
（一実施形態）
図１から図６に示すように、空調装置の排水ポンプ１０は排水筐体１１、羽根車２１および発動機構３１から構成される。
【００１２】
排水筐体１１は、下方に位置する吸入口１２および側辺に位置する排出口１４を有する。
【００１３】
羽根車２１は、排水筐体１１の中に格納される。
【００１４】
発動機構３１は、モーターハウジング上部３２、モーター３４およびモーターハウジング下部３６を有する。モーターハウジング上部３２はモーターハウジング下部３６に合わさる。モーター３４はモーターハウジング下部３６とモーターハウジング上部３２との間に配置され、羽根車２１に接続される駆動軸３４１を有する。
【００１５】
モーターハウジング下部３６は、上向きの開口部および底部に位置する穿孔３７１を有する円筒状ボディー３７を有する。モーターは円筒状ボディー３７の上方に位置する。排水筐体１１は円筒状ボディー３７の下方に位置する。羽根車２１は穿孔３７１を通ってモーター３４の駆動軸３４１に接続される。
【００１６】
円筒状ボディー３７は、さらに複数のスリット３７２、複数の導流板３８および流体通路３８２を有する。複数のスリット３７２は上から下へ伸びるように円筒状ボディー３７に分布し、かつ円筒状ボディー３７の軸心に向かって等角を呈するように配列される。
複数の導流板３８は円筒状ボディー３７からそれぞれのスリット３７２の辺縁に沿って外部へ斜めに拡張され、かつそれぞれのスリット３７２に跨ってそれぞれのスリット３７２の別の辺縁へ伸びて円筒状ボディー３７との間に所定の距離を置くように形成される。流体通路３８２は複数の導流板３８と円筒状ボディー３７との間に形成される。円筒状ボディー３７の内部空間と外部とは複数のスリット３７２および複数の流体通路３８２によって相互に連絡する。
【００１７】
本実施形態において、導流板３８は円弧状を呈し、円筒状ボディー３７の軸心に向かって時計回りに沿って拡張されるが、これに限らず、反時計回りに沿って拡張されてもよい。つまり、製作者は状況に応じて拡張方向を選択できる。導流板３８が円弧状に設計されれば誘導効果を向上させることができる。
【００１８】
本実施形態において、モーターハウジング下部３６はさらに頂部材３６１および底部材３６２を有する。頂部材３６１および底部材３６２は円筒状ボディー３７の先端および末端に別々に連結される。
スリット３７２は円筒状ボディー３７の先端から末端まで伸びる。頂部材３６１および底部材３６２が配置されればスリット３７２は円筒状ボディー３７の先端から末端まで伸び、円筒状ボディー３７を切開した状態になる。円筒状ボディー３７のそれぞれの部位は頂部材３６１および底部材３６２に連結されることによって構造関係を維持する。
【００１９】
以上は本実施形態の構築についての説明である。続いて本実施形態の稼働状態について説明を進める。
【００２０】
図１から図６に示すように、空調装置の排水ポンプ１０が正常稼働する場合、羽根車２１はモーター３４の駆動力によって回転し、排水筐体１１内の水を排出口１４から排出する。排出口１４は排水管（図中未表示）に連結されることによって水を外部へ流出させることが一般的である。排水ポンプと排水管とを連結することは従来の技術であるため、図面上の表示および説明を省略する。
【００２１】
図５および図６に示すように、モーター３４の運転が停止するか、電源が切れた場合、排水管に残留した水は排水筐体１１に逆流する。このとき羽根車２１は排水筐体１１内の空間に据えられ、障害物になるため、逆流した水は流速が遅くなり、ゆっくり排水筐体１１を流れ、穿孔３７１から円筒状ボディー３７へ流入し、そののちスリット３７２および流体通路３８２を通って外部へ流出する。スリット３７２は逆流して溢れた水を排出する機能を果たすため、排出されず円筒状ボディー３７に迅速に逆流して滞留した水の水位が上昇し、モーター３４に損害を与えることを抑制できる。
【００２２】
上述したことにより、従来の技術と比べて本発明はスリット３７２および導流板３８からなる流体通路３８２によって排水径路の短縮化を実現させ、排水効果をより向上させることが判明した。また、本発明は従来の技術とは異なり、構造の簡単化を実現させるため、パーツの数を減らすことができる。
【００２３】
一方、導流板３８は円筒状ボディー３７の内部の音（例えば羽根車２１の回転またはモーター３４の稼働に伴って生じた音）を遮断し、流体通路３８２を介して屈折および拡散させるため、騒音を抑制できる。
【符号の説明】
【００２４】
１０    空調装置の排水ポンプ
１１    排水筐体
１２    吸入口
１４    排出口
２１    羽根車
３１    発動機構
３２    モーターハウジング上部
３４    モーター
３６    モーターハウジング下部
３６１  頂部材
３６２  底部材
３７    円筒状ボディー
３７１  穿孔
３７２  スリット
３８    導流板
３８２  流体通路
【図１】
2018025188.tif 000003
【図２】
2018025188.tif 000004
【図３】
2018025188.tif 000005
【図４】
2018025188.tif 000006
【図５】
2018025188.tif 000007
【図６】
2018025188.tif 000008